(57)【特許請求の範囲】
【請求項１】
本水路に設けられる堰堤よりも上流側で、本水路から分岐される分岐水路の取水口に設置され、該取水口から分岐水路に流入しようとする塵芥を堰堤側に流下させる除塵装置において、
直立支持される回転軸と、該回転軸に対して同心状に設けられる筒状のスクリーンとを有する回転体を備え、
前記スクリーンは、取水口の幅寸法よりも小さい外径であって、前記塵芥を前記分岐水路側に流入させない外径を有し、外周面の一部が本水路側に突出して配置され、
前記スクリーンの外側または内側には、複数の羽根が配置され、
取水口の上流側の側壁に形成される遮水部であって、前記本水路の上流側に位置するスクリーンの外周面を囲むように形成される遮水部を有する取水口に設けられることを特徴とする除塵装置。
【請求項２】
前記スクリーンに浮体が取り付けられることを特徴とする請求項１に記載の除塵装置。
【請求項３】
取水口の下流側の側壁に取り付けられるスクレーパーであって、堰堤側に位置するスクリーンの外周面に対して接線方向に延出して形成されるスクレーパーを有することを特徴とする請求項１又は２に記載の除塵装置。
【請求項４】
塵芥が本水路側に突出するスクリーンの外周面の頂部を越流できるように、遮水部の先端部に傾斜して延出部が形成される取水口に設けられることを特徴とする請求項１乃至３のいずれか１項に記載の除塵装置。
【請求項５】
前記スクリーンによって下流側に受け流される塵芥が、前記スクリーンの下流側の前記堰堤に滞留することがないように、一部を開閉するゲートを有する前記堰堤の近傍の取水口に設けられることを特徴とする請求項１乃至４のいずれか１項に記載の除塵装置。
【発明の詳細な説明】
【技術分野】
【０００１】
本発明は、例えば、河川などの本水路から分岐される分岐水路の取水口に設置される除塵装置に関する。
【背景技術】
【０００２】
従来より、水力発電所の発電に利用される水量を確保するために、例えば、河川などの本水路から分岐して分岐水路が形成される。そして、この分岐水路の下流側には、本水路の上流側から流下してくる塵芥が水力発電所の水車に流入しないように、除塵装置が設置されている。
【０００３】
該除塵装置としては、回転軸およびスクリーンを有する回転体を備えている。回転軸は、分岐水路を形成する両側の側壁に跨って配置されているものが公知になっている（特許文献１参照）。スクリーンは、複数の網目を有するネットで構成されている。また、スクリーンは回転軸に対して同心状に固設され、スクリーンの外周面の一部が水面から臨出するように、両側壁に回転支持されている。また、水面から臨出するスクリーンの外周面に対して、略接線方向に、かつ、水流とは反対側に向かってレーキが取り付けられている。そして、回転体は、水流によって回転し、スクリーンに付着した塵芥がレーキによって掻き上げられる。そうすることで、塵芥が水力発電所の水車に流下しないようにしている。
【０００４】
また、分岐水路の取水口の開口部に設置された従来の除塵装置がある。該除塵装置は、分岐水路の水流方向に沿って上下方向に平行して配置された複数の棒状部材からなるスクリーンと、該棒状部材の軸方向に沿って往復動自在に走行する電動台車と、該電動台車に、走行方向に対して直交する方向（鉛直方向）に取り付けられたブームと、該ブームの先端部に固設された熊手とを備えたものが公知になっている（特許文献２参照）。
【先行技術文献】
【特許文献】
【０００５】
【特許文献１】特開２００６−３０７５１８号公報
【特許文献２】特開平０８−２５３９２１号公報
【発明の概要】
【発明が解決しようとする課題】
【０００６】
しかしながら、前記特許文献１の除塵装置の場合、レーキに溜まった塵芥を人為的に除去する必要があるため、常時監視しなければならないという問題が生じる。
【０００７】
また、前記特許文献２の除塵装置の場合、電動台車でスクリーンに付着した塵芥を除去しているため、電源を供給する電源設備および電動台車を走行させるレールなどの機材が必要になり、その分コスト高になる。また、装置の構成が大掛かりであるため、設置工事にも日数がかかってしまうという問題がある。
【０００８】
ここで、取水口に、前記特許文献１に記載されている回転体を配置し、該回転体のスクリーンに付着した塵芥を、前記特許文献２に記載されている電動台車の熊手で除去して、堰堤側に流下させることも考えられるが、前記特許文献１に記載されている回転体は、スクリーンが分岐水路の水路に跨るように設置されるので、分岐水路の下流側に向かう水流によって回転することになる。したがって、電動台車の熊手で、回転体のスクリーンに付着した塵芥を除去するとしても、塵芥が、回転体のスクリーンを越えて、分岐水路の下流側に流れる可能性は大きく、水力発電に支障をきたすことが考えられる。つまり、前記特許文献１，２の組み合わせによる除塵装置は、水力発電所の除塵装置としては、不適であると考察される。
【０００９】
そこで、本発明は、スクリーンに付着した塵芥を、人為的または機械的に除去することなく、しかも、簡単な構成で、かつ、短期間に設置できる除塵装置を提供することを課題とする。
【課題を解決するための手段】
【００１０】
本発明に係る除塵装置は、本水路に設けられる堰堤よりも上流側で、本水路から分岐される分岐水路の取水口に設置され、該取水口から分岐水路に流入しようとする塵芥を堰堤側に流下させる除塵装置において、直立支持される回転軸と、該回転軸に対して同心状に設けられる筒状のスクリーンとを有する回転体を備え、前記スクリーンは、取水口の幅寸法よりも小さい外径であって、前記塵芥を前記分岐水路側に流入させない外径を有し、外周面の一部が本水路側に突出して配置され、前記スクリーンの外側または内側には、複数の羽根が配置され、取水口の上流側の側壁に形成される遮水部であって、前記本水路の上流側に位置するスクリーンの外周面を囲むように形成される遮水部を有する取水口に設けられることを特徴とする。
【００１１】
かかる構成によれば、回転体のスクリーンの外周面の一部が本水路に突出するように、分岐水路の取水口に配置されることで、回転体は、直立支持された回転軸を回転中心にして回転するようになる。また、回転体が本水路の水流によって回転することで、本水路に突出するスクリーンの外周面の一部に、塵芥が当接して堰堤側に受け流されるようになり、流下する塵芥が分岐水路の取水口に滞留することがない。したがって、水力発電所に対する一定水量を常時確保できるようになる。さらに、洪水時においても、上流から流下する塵芥が取水口に滞留することがなく、取水口から常時一定水量を取水することができる。また、回転体は、本水路の水流を複数の羽根で受けるようになるので、水流によって一方向に回転しやすくなり、塵芥を堰堤側に流下させやすくなる。すなわち、取水口に塵芥が溜まることがないので、分岐水路に対して、本水路からは水のみが供給されるようになる。また、本水路側に突出するスクリーンの上流側の円弧面が、取水口の上流側の側壁に形成される遮水部によって囲まれるので、下流側に位置するスクリーンの一部の外周面のみが本水路に臨出するようになる。したがって、本水路の上流側から流下してくる塵芥が、本水路側に突出するスクリーンの上流側の円弧面に当接することなく、下流側に位置するスクリーンの一部の外周面によって受け流されて、堰堤側に向かって流下しやすくなる。すなわち、本水路側に突出する、上流側に位置するスクリーンの一部の外周面と取水口の上流側の側壁との間に、塵芥が滞留することがなく、分岐水路における一定水量を確保しやすくなる。
【００１４】
また、本発明によれば、前記スクリーンに浮体を取り付けるような構成を採用することもできる。
【００１５】
かかる構成によれば、浮体によって、スクリーンにかかる荷重が低減されて、スクリーンを介して回転軸にかかる荷重を低減できる。したがって、スクリーンが円滑に回転できるようになるとともに、水流が無駄なく回転力に寄与されるようになる。
【００１６】
また、本発明によれば、取水口の下流側の側壁に取り付けられるスクレーパーであって、堰堤側に位置するスクリーンの外周面に対して接線方向に延出して形成されるスクレーパーを有する構成であってもよい。
【００１７】
かかる構成によれば、堰堤側に位置するスクリーンの一部の外周面に当接しつつ、取水口の下流側の側壁との間に向かって流される塵芥が、堰堤側に位置するスクリーンの一部の外周面に対して接線方向に延出して形成されたスクレーパーによって強制的に離されて、堰堤側に流下されるようになる。すなわち、スクレーパーによって、スクリーンの表面が常時きれいに維持できる。
【００２０】
また、本発明に係る除塵装置の他態様として、塵芥が本水路側に突出するスクリーンの外周面の頂部を越流できるように、遮水部の先端部に傾斜して延出部が形成される取水口に設けられる構成であってもよい。
【００２１】
かかる構成によれば、上流から下流に向かう水流の方向が、延出部によってスクリーンを越えて堰堤側に向かう水流が形成されるようになり、取水口における塵芥の滞留がより一層防止できるようになる。
【００２２】
また、本発明に係る除塵装置の他態様として、前記スクリーンによって下流側に受け流される塵芥が、前記スクリーンの下流側の前記堰堤に滞留することがないように、一部を開閉するゲートを有する前記堰堤の近傍の取水口に設けられる構成であってもよい。
【００２３】
かかる構成によれば、堰堤の一部がゲートによって開放されるので、本水路が増水した場合の越流だけでなく、スクリーンによって下流側に受け流されて堰堤付近に集積した塵芥を、堰堤の一部を開放して下流側に流下させることができる。すなわち、取水口および堰堤を含む水域をきれいにできる。
【発明の効果】
【００２４】
本発明によれば、回転軸に対して同心状に設けられる筒状のスクリーンの外周面の一部が本水路側に突出するように、本水路から分岐される分岐水路の取水口に、回転体の回転軸を直立支持させるようにしたので、回転体が本水路の水流によって回転することができる。すなわち、塵芥の分岐水路への流入を阻止することができる。また、筒体を軸によって回転させる簡単な構成のものを水路に配置するだけで、本水路において上流側から流下する塵芥を、堰堤側に流下させることができて、取水口に対する塵芥の滞留を防止することができ、分岐水路における一定水量を常時確保することができる。
【図面の簡単な説明】
【００２５】
【図１】本発明の第１実施形態に係る除塵装置を示す概略平面図。
【図２】図１の回転体の一部を破断した状態を示す概略斜視図。
【図３】（ａ）は、水流を羽根の溝状部で受ける状態を示す拡大平面図、（ｂ）は、水流によって羽根がストッパから離間する状態を示す拡大平面図。
【図４】（ａ）は、角落としを抜き取った堰堤の部位から塵芥が流下する状態を示す概略側面図、（ｂ）は、雨水などで本水路が増水した場合において、塵芥が堰堤を越えて流下する状態を示す概略側面図。
【図５】本発明の第２実施形態に係る除塵装置を示す概略平面図。
【図６】浮体が取り付けられた回転体を示す斜視図。
【図７】ゲートが設けられた堰堤と、該堰堤の部位から塵芥が流下する状態とを示す概略側面図
【発明を実施するための形態】
【００２６】
本発明に係る除塵装置の一実施形態について図１〜図７を参照しながら説明する。なお、図２および図６においては、一部を破断して、内部に設けられた一枚の羽根の支持部分を図示しているが、実際には、図１および図５に示すように、複数配置されているものとする。また、図１および図５は、正面から見て、図面の右側を上流側とし、左側を下流側とする。
【００２７】
（第１実施形態）
第１実施形態に係る除塵装置について図１〜図５を参照して説明するが、まず、本発明の除塵装置Ａが設置される水路について簡単に説明する。該水路Ｗは、図１に示すように、本水路Ｗａと、分岐水路Ｗｂとを備えている。本水路Ｗａは、下流側に堰堤５０が設けられている。分岐水路Ｗｂは、水力発電所（図示せず）に所定の水量を供給すべく、堰堤５０よりも上流側の本水路Ｗａから分岐されて形成されている。そして、本水路Ｗａの上流側から流下する塵芥Ｘが分岐水路Ｗｂに流入しないように、分岐水路Ｗｂの取水口５１に除塵装置Ａが設置される。また、堰堤５０には、その上端部に、厚さ方向に沿って溝５０ａが形成されている。また、溝５０ａには、塵芥Ｘを流下させるための複数枚の角落とし５００，…が配置されている（図４（ａ），（ｂ）参照）。
【００２８】
該除塵装置Ａは、図１および図２に示すように、回転軸２と、スクリーン６、複数の羽根１０，…とを有する回転体１を備えている。
【００２９】
回転軸２は、分岐水路Ｗｂの取水口５１の中央部において、分岐水路Ｗｂを形成する底壁部に固定されたベアリング（軸受け）Ｂによって、直立した状態で回転自在に支持される。また、回転軸２は、軸方向に所定の間隔をおいて、４枚（複数）の円板状の支持板３ａ〜３ｄが固着されている。そして、最上部の支持板３ａは、下側の３枚の支持板３ｂ，３ｃ，３ｄよりも大径で、径外方向（放射状）に複数の支持棒４，…が配置されている。また、下側の３枚の支持板３ｂ，３ｃ，３ｄの周端面には、後述する羽根１０，…の支軸１１，…の他端側が挿通されて回転自在に支持される挿通部５，…が同一直線状に位置するように固着されている。また、回転軸２、支持板３ａ〜３ｄ、支持棒４，…は、アルミ素材により作製されている。
【００３０】
スクリーン６は、複数の網目を有する樹脂製のネットから構成されている。また、スクリーン６は、内周面６ａの上端部が、回転軸２の支持棒４，…に支持されて、回転軸２に対して同心状に設けられている。また、スクリーン６は、後述する取水口５１の幅寸法よりもやや小さい外径を有し、外周面６ｂの一部（略半分）が本水路Ｗａ側に突出して配置されている。すなわち、回転体１は、スクリーン６の外周面６ｂの一部（略半分）が本水路Ｗａに突出することで、本水路Ｗａの水流Ｃによって時計方向に回転することになる。
【００３１】
この際、図１に示すように、本水路Ｗａに突出したスクリーン６の外周面６ｂの頂部６０ｂにおいて、上流側に位置する円弧面６１ｂでは、前記頂部６０ｂに向かって上昇流Ｃａが生成され、下流側に位置する円弧面６２ｂでは、前記頂部６０ｂから取水口５１の下流側の側壁５１ａに向かって下降流Ｃｂが生成される。そして、上昇流Ｃａと下降流Ｃｂとが連続することで、塵芥Ｘを堰堤５０側に流下させる水流が生成される。
【００３２】
また、スクリーン６は、その内周面６ａの周方向に所定の間隔をおいて複数のストッパ７，…が配置されている。このストッパ７，…は、後述する羽根１０，…の回動を規制するためのものである。
【００３３】
羽根１０は、第１折曲片１０ａと、第２折曲片１０ｂと、支軸１１とを備えている。第１折曲片１０ａと第２折曲片１０ｂは、平面視Ｌ字形状になるように折り曲げられている。例えば、既製の山形鋼を使用することが好ましい。支軸１１は、第１折曲片１０ａが、最上部の支持板３ａの周縁部に一端部が貫設され、下側の複数の支持板３ｂ，３ｃ，３ｄの周端面に固着された挿通部５，…に、他端側が挿通されて回転自在に支持されている。そして、第１折曲片１０ａは、支軸１１の他端側のみに固着されており、支軸１１の全体にはない。この理由としては、支軸１１の全体に羽根１０を固着した場合、水流Ｃを受けやすくなって回転性能は向上するものの、水力発電所への水量が確保されなくなるからである。また、羽根１０は、図３（ａ）に示すように、本水路Ｗａの水流Ｃを受けられるように、Ｌ字形状の溝状部１００ａが水流Ｃに対峙するように配置される。そして、羽根１０は、Ｌ字形状の溝状部１００ａが水流Ｃを受けることで、羽根１０の当接部１２がストッパ７に当接し、その状態が維持される。一方、図３（ｂ）に示すように、羽根１０の溝状部１００ａの反対側の突状部１００ｂが水流Ｃを受ける位置に回転するようになると、羽根１０の当接部１２がストッパ７から離間し、水流Ｃがスクリーン６を透過するようになる。このような羽根１０の動きによって、回転体１が水流Ｃで時計方向に回転できるようなる。また、羽根１０，…は、スクリーン６の内周面６ａに配置されているが、スクリーン６の外周面６ｂに配置するようにしてもよいが、塵芥Ｘの付着を考慮すると、スクリーン６の内周面６ａに配置することが好ましい。
【００３４】
つぎに使用態様について図１および図４（ａ），（ｂ）を参照して説明する。回転体１のスクリーン６の外周面６ｂの一部（略半分）が本水路Ｗａに突出するように、分岐水路Ｗｂの取水口５１に配置されることで、回転体１は、直立支持された回転軸２を回転中心にして、本水路Ｗａの水流Ｃによって時計方向に回転するようになる。また、回転体１が本水路Ｗａの水流Ｃによって回転することで、図１の実線に示すように、本水路Ｗａに突出するスクリーン６の上流側の円弧面６１ｂに、塵芥Ｘが当接し、図１の鎖線に示すように、塵芥Ｘが堰堤５０側に受け流されるようになり、流下する塵芥Ｘが分岐水路Ｗｂの取水口５１に滞留することがない。
【００３５】
そして、図４（ａ）に示すように、堰堤５０側に流下した塵芥Ｘは、最上段の角落とし５００が抜き取られた堰堤５０の部位から流下する。または、図４（ｂ）に示すように、雨水などによる増水によって、堰堤５０を越流して流下するようになる。
【００３６】
このように、第１実施形態によれば、分岐水路Ｗｂの取水口５１に、回転軸２が直立支持されるように回転体１を設置し、回転軸２に対して同心状にスクリーン６を設けて、スクリーン６の外周面６ｂの一部が本水路Ｗａ側に突出するようにしたので、回転体１が本水路Ｗａの水流Ｃによって回転するようになる。また、スクリーン６に当接した塵芥Ｘが堰堤５０側に受け流されるので、スクリーン６に塵芥Ｘが付着することがなく、スクリーン６を人為的または機械的に清掃することもない。すなわち、本水路Ｗａにおける塵芥Ｘを、水流Ｃと回転体１の回転とによって自然に除去できるようになる。つまり、本水路Ｗａにおける塵芥Ｘを、水流Ｃと回転体１とで堰堤５０側に流下させることで、水力発電所に対する一定水量を常時確保できるようになる。また、鮎や山女などの魚類が分岐水路Ｗｂに迷入することがない。
【００３７】
（第２実施形態）
つぎに第２実施形態に係る除塵装置について図５を参照して説明する。同図において、図１と同一符号は同一もしくは相当するものを示し、これらの部位の説明は省略する。そして、図１と異なる点は、スクレーパー２０と、遮水部２１と、延出部２２とを備えた点である。
【００３８】
スクレーパー２０は、取水口５１を形成する下流側の側壁５１ａに、本水路Ｗａ側に突出するスクリーン６の下流側の円弧面６２ｂに対して接線方向に延出して形成されている。また、スクレーパー２０の先端部が回転軸２の中心に位置するように、取水口５１の下流側の側壁５１ａは、図１の場合よりも、本水路Ｗａから後退している。そして、図５の実線に示すように、スクレーパー２０によって、スクリーン６の下流側の円弧面６２ｂと、取水口５１の下流側の側壁５１ａとの間に向かって受け流された塵芥Ｘが、図５の一点鎖線に示すように、堰堤５０側に強制的に流されるようになる。
【００３９】
遮水部２１は、本水路Ｗａ側に突出するスクリーン６の上流側の円弧面６１ｂを囲むように、取水口５１の上流側の側壁５１ｂに形成されている。具体的に説明すると、遮水部２１は、第１遮水部２１ａおよび第２遮水部２１ｂを備えている。第１遮水部２１ａは、取水口５１の上流側の側壁５１ｂの端部から本水路の水流に対して直交方向に延出して形成されている。第２遮水部２１ｂは、第１遮水部２１ａの端部から堰堤５０側に延出して形成されている。そして、第１遮水部２１ａおよび第２遮水部２１ｂが、直角を形成しており、いずれもスクリーン６の外周面６ｂに対して接線方向に延出されている。そうすることで、スクリーン６の上流側に位置する円弧面６１ｂが、第１遮水部２１ａおよび第２遮水部２１ｂによって囲まれるようになり、本水路Ｗａの水流Ｃの影響を受けることがなくなる。一方、本水路Ｗａ側に突出するスクリーン６の下流側の円弧面６２ｂのみが本水路Ｗａに臨出するようになる。すなわち、スクリーン６の上流側の円弧面６１ｂに塵芥Ｘが溜まることが回避されつつ、スクリーン６の下流側の円弧面６２ｂが有効利用される。つまり、図５の破線に示すように、本水路Ｗａの上流側から流下してくる塵芥Ｘが、スクリーン６の下流側の円弧面６２ｂによって受け流されて、図５の二点鎖線に示すように、堰堤５０側に向かって流下しやすくなる。すなわち、本水路Ｗａ側に突出するスクリーン６の下流側の円弧面６２ｂと取水口５１の下流側の側壁５１ａとの間に、塵芥Ｘが滞留することがなく、分岐水路Ｗｂにおいて一定水量を常時確保できるようになる。
【００４０】
延出部２２は、塵芥Ｘが本水路Ｗａ側に突出するスクリーン６の外周面６ｂの頂部６０ｂを越流できる程度に、遮水部２１の先端部にやや傾斜して形成されている。具体的には、スクリーン６の外周面６ｂの下流側の円弧面６２ｂが、本水路Ｗａ側に臨出するように、かつ、堰堤５０側に向かうにしたがって本水路Ｗａ側に突出するように、遮水部２１の先端部にやや傾斜して形成されている。そして、延出部２２によって、上流から下流に向かう本水路Ｗａの水流Ｃの方向が、本水路Ｗａ側に突出するスクリーン６の外周面６ｂの頂部６０ｂを越えて堰堤５０側に向かう水流となり、取水口５１における塵芥Ｘの滞留がより一層防止できる。
【００４１】
つぎに使用態様について説明する。回転体１のスクリーン６の外周面６ｂの半分よりもやや大きく本水路Ｗａに突出するように、分岐水路Ｗｂの取水口５１に配置されることで、回転体１は、直立支持された回転軸２を回転中心にして、本水路Ｗａの水流Ｃによって時計方向に回転するようになる。また、回転体１が本水路Ｗａの水流Ｃによって回転することで、スクリーン６の下流側に位置する円弧面６２ｂのみに、塵芥Ｘが当接して堰堤５０側に受け流されるようになり、流下する塵芥Ｘが分岐水路Ｗｂの取水口５１に滞留することがない。したがって、分岐水路Ｗｂにおける一定水量を常時確保できるようになる。
【００４２】
このように、第２実施形態によれば、スクリーン６の上流側に位置する円弧面６１ｂが、取水口５１の上流側の側壁５１ｂに形成された遮水部２１で囲まれるので、塵芥Ｘの流下に寄与するスクリーン６の下流側に位置する円弧面６２ｂが有効活用されるようになる。また、スクリーン６の下流側に位置する円弧面６２ｂに当接する塵芥Ｘが、取水口５１の下流側の側壁５１ａに形成されるスクレーパー２０によって、強制的に離れさせられるので、塵芥Ｘが堰堤５０側により一層流下しやすくなる。また、遮水部２１の先端部に形成された延出部２２によって、上流側から下流側への単なる本水路Ｗａの水流Ｃが、スクリーン６を越えて堰堤５０側に流下する流れに変わるようになるので、塵芥Ｘの堰堤５０側への流下が促進されるようになる。さらに、洪水時において、上流から流下する塵芥が取水口５１に溜まることがなく、取水口５１から常時一定水量を取水することができる。
【００４３】
なお、本発明は、前記実施形態に限定されるものではなく、種々変更することができる。
【００４４】
例えば、前記実施形態の場合、図６に示すように、スクリーン６の下端部に、環状の浮体３０を固着するようにしてもよい。この場合、浮体３０によって、スクリーン６にかかる荷重が低減されて、スクリーン６を介して回転軸２にかかる荷重を低減できる。したがって、回転体１が円滑に回転できるようになるとともに、水流を無駄なく回転力に変換できるようになる。また、環状の浮体３０に限定されるものではなく、水力発電所に対する水量を確保できる程度に、スクリーン６の内周面６ａまたは外周面６ｂに、棒状の浮体を周方向に複数配置するようにしてもよい。
【００４５】
また、前記実施形態の場合、堰堤５０を越流させて、さらなる下流側に流下させるようにしたが、堰堤５０の一部、すなわち、本水路Ｗａを形成する側壁に隣接する堰堤５０の側端部５０ａに、図７に示すように、該側端部５０ａの上部を開閉するゲート４０が設けられるようにしてもよい。この場合、ゲート４０によって堰堤５０の上端部が開放されることで、堰堤５０に溜まった塵芥Ｘを必要に応じて下流側に流下させることができる。つまり、取水口５１および堰堤５０を含む水域をきれいにできる。
【符号の説明】
【００４６】
１…回転体、２…回転軸、６…スクリーン、１０…羽根、２０…スクレーパー、２１…遮水部、２２…延出部、３０…浮体、４０…ゲート、５０…堰堤、５１…取水口、５１ａ…取水口５１の下流側の側壁、５１ｂ…取水口５１の上流側の側壁、６１ｂ…スクリーン６の上流側の円弧面、６２ｂ…スクリーン６の下流側の円弧面、Ｗａ…本水路、Ｗｂ…分岐水路、Ｘ…塵芥
【図１】
0005465704.tif 000002
【図２】
0005465704.tif 000003
【図３】
0005465704.tif 000004
【図４】
0005465704.tif 000005
【図５】
0005465704.tif 000006
【図６】
0005465704.tif 000007
【図７】
0005465704.tif 000008